(57)【要約】【課題】  屋外等の使用環境からの影響を低減したＬＥＤ照明装置を提供する。【解決手段】  ＬＥＤ照明装置１は、所定の面パターンをなすＬＥＤ１３３ｂを含むＬＥＤ光源１３３、ＬＥＤ光源１３３が配置される配置台１３４、並びにその内部にＬＥＤ光源１３３及び配置台１３４が格納されるとともにＬＥＤ光源１３３からの光を透過する透過窓が設けられた発光モジュール１３０を備える。発光モジュール１３０は、透過窓を含む透過板１３１と、配置台１３４が載置される筐体部１３２と、可撓性を有するパッキン１３２ｄと、透過板１３１と筐体部１３２が対向する向きに押圧を印加する押圧部材とを有している。【選択図】  図６
2011090854.tif 000002
【特許請求の範囲】
【請求項１】
所定の面パターンをなすＬＥＤを含むＬＥＤ光源、前記ＬＥＤ光源が配置される配置台、及びその内部に前記ＬＥＤ光源及び前記配置台が収納されるとともに前記ＬＥＤ光源からの光を透過する透過窓が設けられた発光モジュールを備え、
前記発光モジュールは、
前記透過窓を含む蓋部と、
その底面に前記配置台が載置される開口箱部と、
前記蓋部と前記開口箱部の縁面との間に設けられた、可撓性を有する封止部材と、
前記蓋部及び前記開口箱部に対し、それらが対向する向きに押圧を印加する押圧部材とを有している、
ＬＥＤ照明装置。
【請求項２】
前記開口箱部内に設けられた、水分を検知する水分検知部と、
前記水分検知部が水分を検知したことを外部に通知する通知部とを備えた、請求項１に記載のＬＥＤ照明装置。
【請求項３】
前記開口箱部内に設けられた、水分を検知する水分検知部と、
前記水分検知部が水分を検知すると、前記ＬＥＤ光源への通電を停止する制御を行う通電制御部とを備えた、請求項１又は２に記載のＬＥＤ照明装置。
【請求項４】
前記ＬＥＤ光源の前記面パターンがなす平面は鉛直方向に対して交差している、請求項１から３のいずれかに記載のＬＥＤ照明装置。
【請求項５】
前記ＬＥＤ光源の前記面パターンがなす平面が鉛直方向に対してなす交差角は調整可能である、請求項４に記載のＬＥＤ照明装置。
【発明の詳細な説明】
【技術分野】
【０００１】
本発明は、ＬＥＤを光源として利用したＬＥＤ照明装置に関するものである。
【背景技術】
【０００２】
従来より、環境問題を考慮して従来の白色電球の代替となる蛍光灯光源の普及が進んでいるが、近年では、消費電力及び光量において蛍光灯光源よりさらに優れたＬＥＤ（発光ダイオード）を利用したＬＥＤ光源が普及し始めている。
ＬＥＤ光源は、複数のＬＥＤをアレイ状又は放射状等に平面上に配列することにより仮想的な面発光を実現し、大きな発光面積を確保するとともに均一な光を得るよう構成されている（例えば特許文献１，図１を参照）。
ＬＥＤ光源の具体的な態様としては、蛍光灯光源が既成の白色電球の規格に対応した形状を有するのと同様に、既成の白色電球又は蛍光灯の規格に対応するように、当該電球又は蛍光灯の外形を模して作成された筐体内に配置されたものが大部分を占める。
一方で、既成光源の規格と違えて独自の形状としたＬＥＤ光源は、外形の制約を受けずに高性能化を図ることができる。その例として、ＬＥＤとその上部に設けられた遮蔽層を用いて発射光を回折させることにより、その照射面積を拡大する技術が知られている（例えば特許文献２、図３を参照）。
【先行技術文献】
【特許文献】
【０００３】
【特許文献１】特開２００９−１９９９８０号公報
【特許文献２】特開２００６−３５２０８６号公報
【発明の概要】
【発明が解決しようとする課題】
【０００４】
上記各特許文献に記載されたＬＥＤ光源は平面上に配列されたＬＥＤを一定形状の筐体内に配置して用いるものであるが、その構成は白熱電球等の既成光源の形状の制約を受けており、面発光というＬＥＤ光源の特性を十分生かしたものとは言えなかった。又、上記特許文献２におけるＬＥＤ光源は、あくまで光源を構成する個別のＬＥＤの発光効率に着目したものと言える。
しかしながら、重要な点は、上記各特許文献に記載のＬＥＤ光源はあくまで光源自体の発光効率にこそ着目してはいるが、ＬＥＤ光源を備えたＬＥＤ照明装置として用いる場合、屋外、屋内等の実際の使用環境において、ＬＥＤ光源が当該環境にどのように影響されるかについての省察を含むものではなかった。
すなわち、本願発明者は、ＬＥＤ照明装置において、面発光するＬＥＤ光源の実際の使用に際して、使用環境の影響を考慮した技術が従来より存在しないことを見いだした。
【０００５】
本発明はこのような課題に鑑みてなされたものであり、面発光するＬＥＤ照明装置において、屋外等の使用環境からの影響を低減することを目的とする。
【課題を解決するための手段】
【０００６】
上記の目的を達成するために、本発明の第１の側面は、所定の面パターンをなすＬＥＤを含むＬＥＤ光源、前記ＬＥＤ光源が配置される配置台、及びその内部に前記ＬＥＤ光源及び前記配置台が収納されるとともに前記ＬＥＤ光源からの光を透過する透過窓が設けられた発光モジュールを備え、前記発光モジュールは、前記透過窓を含む蓋部と、その底面に前記配置台が載置される開口箱部と、前記蓋部と前記開口箱部の縁面との間に設けられた、可撓性を有する封止部材と、前記蓋部及び前記開口箱部に対し、それらが対向する向きに押圧を印加する押圧部材とを有している、ＬＥＤ照明装置であることを特徴とする。
【０００７】
又、本発明の第２の側面は、前記開口箱部内に設けられた、水分を検知する水分検知部と、前記水分検知部が水分を検知したことを外部に通知する通知部とを備えた、本発明の第１の側面のＬＥＤ照明装置であることを特徴とする。
【０００８】
又、本発明の第３の側面は、前記開口箱部内に設けられた、水分を検知する水分検知部と、前記水分検知部が水分を検知すると、前記ＬＥＤ光源への通電を停止する制御を行う通電制御部とを備えた、本発明の第１又は第２の側面のＬＥＤ照明装置であることを特徴とする。
【０００９】
又、本発明の第４の側面は、前記ＬＥＤ光源の前記面パターンがなす平面は鉛直方向に対して交差している、本発明の第１から第３の側面のＬＥＤ照明装置であることを特徴とする。
【００１０】
又、本発明の第５の側面は、前記ＬＥＤ光源の前記面パターンがなす平面が鉛直方向に対してなす交差角は調整可能である、本発明の第４の側面のＬＥＤ照明装置であることを特徴とする。
【発明の効果】
【００１１】
以上のような本発明によれば、面発光するＬＥＤ照明装置において、屋外等の使用環境からの影響を低減することが可能となる。
【図面の簡単な説明】
【００１２】
【図１】本発明の実施の形態１にかかるＬＥＤ照明装置の構成を示す斜視図である。
【図２】本発明の実施の形態１にかかるＬＥＤ照明装置の構成を示す平面図である。
【図３】本発明の実施の形態１にかかるＬＥＤ照明装置の構成を示す模式的断面図である。
【図４】本発明の実施の形態１にかかるＬＥＤ照明装置の構成を示す模式的透視図である。
【図５】本発明の実施の形態１にかかるＬＥＤ照明装置の構成を示す模式的断面図である。
【図６】本発明の実施の形態１にかかるＬＥＤ照明装置の発光モジュールの構成を示す模式的分解斜視図である。
【図７】本発明の実施の形態１にかかるＬＥＤモジュール内のＬＥＤ光源の構成を示す模式的分解斜視図である。
【図８】（ａ）本発明の実施の形態１にかかるＬＥＤ照明装置の発光モジュールの構成を説明するための図である。（ｂ）本発明の実施の形態１にかかるＬＥＤ照明装置の発光モジュールの構成を説明するための図である。
【図９】本発明の実施の形態２にかかるＬＥＤ照明装置の構成を示す模式図である。
【図１０】（ａ）本発明の各実施の形態にかかるＬＥＤ照明装置の発光モジュールの他の構成例を示す図である。（ｂ）本発明の各実施の形態にかかるＬＥＤ照明装置の発光モジュールの他の構成例を示す図である。
【図１１】本発明の各実施の形態にかかる発光モジュール内の配置台の他の構成例を示す模式的分解斜視図である。
【図１２】本発明の各実施の形態にかかる発光モジュール内の配置台近傍の他の構成例を示す図である。
【発明を実施するための形態】
【００１３】
以下、本発明の実施の形態を、図面を参照して説明する。
（実施の形態１）
図１は、本発明の実施の形態１に係るＬＥＤ照明装置の斜視図であり、図２は、同平面図である。各図に示すように、本実施の形態１に係るＬＥＤ照明装置１は、略直方体の外形を有するステンレス製の格納容器１００、及び格納容器１００内に収納された、ＬＥＤにより発光する発光モジュール１３０から構成される。
格納容器１００は、その上面１１２に発光モジュール１３０の上面と連通する開口１１０が設けられており、図２に示すように、開口１１０と上面１１２との間には、上面１１２に対してそれぞれ斜交する斜面１１１ａ及び１１１ｃ、並びに上面１１２に対してそれぞれ直交する壁面１１１ｂ及び１１１ｄの各面から構成されるフード部１１１が設けられている。
又、図２に示すように、開口１１０からは、発光モジュール１３０の上面をなす、透明で平板状の透過板１３１が露出している。後述するＬＥＤ光源により発光モジュール１３０内部から発せられた光は、透過板１３１を介し、フード部１１１により導光されながら外部へ投射される。
【００１４】
次に、図３〜図５を参照して、ＬＥＤ照明装置１の内部構成について説明する。ただし、図３はＬＥＤ照明装置１の長手方向、図２のａ−ａ´直線による模式的断面図、図４はＬＥＤ照明装置１の、平面図における模式的部分透視図、及び図５はＬＥＤ照明装置１の短手方向、図２のｂ−ｂ´直線による模式的断面図である。
図３に示すように、発光モジュール１３０はＬＥＤ照明装置１の長手方向においてほぼ中央に、又、図４及び図５に示すように、ＬＥＤ照明装置１の短手方向において中央から奥向きにシフトした位置に配置されている。
又、図３及び図４に示すように、発光モジュール１３０は略円筒形の形状を有し、その内部にＬＥＤ光源１３３及び配置台１３４を収納する解放箱形状の筐体部１３２と、筐体部１３２の開放部分を封止するように配置された、透明で平板状の透過板１３１とを備えている。なお、発光モジュール１３０の詳細な構成については後述する。
【００１５】
再び図３及び図５を参照して説明を行う。発光モジュール１３０の下方には、アルミ等の金属板を板金加工等として作成されたダクトが位置している。ダクトを構成する壁部１５１ａ〜１５１ｃにより囲まれる内部空間には、図３に示すように長手方向に間隙１４１ａ、又、図５に示すように短手方向に間隙１４１ｃをおいてアレイ状に離隔配置された複数のフィン１４１ｂを備えたヒートシンク１４１が設けられており、発光モジュール１３０は、例えばアルミ製の金属板からなる載置テーブル１４０ａ及び１４０ｂを介してヒートシンク１４１と面接触している。
図３に示すように、ヒートシンク１４１の間隙１４１ａ及び１４１ｃ、並びにダクトの内部空間１５０ａ〜１５０ｃは連通しており、ダクトの内部空間１５０ｂは外部に解放されている。又、図４に示すように、ダクトの内部空間１５０ａは、縦列配置された一対のシロッコファン１３０ａ及び１３０ｂの送風口に接続している。
したがって、図３に示すように、シロッコファン１３０ａ及び１３０ｂを駆動させることにより、ダクト内には図中矢印Ａにより示す空気の流れが発生し、これにより発光モジュール１３０の発熱により生じた熱はヒートシンク１４１を介して外部へ放熱される。
一方、発光モジュール１３０の上部、フード部１１１の上方開口端は、透過板１３１と同様の材質の、透過板１２２が設けられており、これにより、フード部１１１内への水分や塵芥の進入を防ぐようにしている。
【００１６】
次に、図６及び図７を参照して、発光モジュール１３０の詳細な構成について説明を行う。ただし、図６は発光モジュール１３０の構成を示す模式的分解斜視図であり、図７は発光モジュール１３０内のＬＥＤ光源１３３及び配置台１３４の構成を示す模式的分解斜視図である。
【００１７】
上述したように、発光モジュール１３０は、ＬＥＤ光源１３３及び配置台１３４を収納する解放箱形状の筐体部１３２、及び筐体部１３２の開口１３２ａを封止するように配置された、透明の透過板１３１とから構成される。図６に示すように、図中上方に開口１３２ａを有する筐体部１３２は、円筒状の形状を有し、その内部空間は外形同様の円筒形状であって、透過板１３１と実質平行をなす底面１３２ｃに、配置台１３４が固定される。なお配置台１３４と底面１３２ｃとの固定は、別部材による係合、ねじ止め、接着材による接合等の、任意の周知技術を用いてよい。
又、筐体部１３２はアルミ等の金属を鋳造又は切削加工等することで製作され、透過板１３１は光透過性のポリカーボネート等の樹脂により製作されるが、これら各部の材質、製法も他の任意の周知技術を用いてもよい。
【００１８】
筐体部１３２の上面であって、透過板１３１の縁部と面接触する部分には、筐体部１３２の開口１３２ａを切れ目無く取り巻くようにゴム製又はシリコン製のパッキン１３２ｄが埋設されている。透過板１３１は、その縁部に開口された貫通孔１３１ａ、及び筐体部１３２の縁部に開口された貫通孔１３２ｂに、ボルト１３５ａを挿入、ナット１３５ｂにより締め付け固定することにより、開口１３２ａを覆うとともに筐体部１３２と接合される。
なお、押圧部材がボルト１３５ａ及びナット１３５ｂに限られないことは言うまでもなく、代替手段として任意の周知技術を用いることができる。例えば筐体部１３２及び透過板１３１のそれぞれ所定箇所を上面からネジ止めするということも可能である。この場合、筐体部１３２に貫通孔１３２ｂを設ける代わりに、所要深さの穴を設ければ足りる。
【００１９】
次に、図７に示すように、配置台１３４は、熱伝導率の高い金属板から作成される平板であり、その主面１３４ａにはＬＥＤ光源１３３を固定するためのねじ穴１３４ｂが設けられている。
次に、ＬＥＤ光源１３３は、樹脂製の台座１３３ａ、アレイ状パターンを形成するように配列された複数のＬＥＤ１３３ｂ、及びＬＥＤ１３３ｂの表面を保護するための保護フィルム１３３ｃから構成される。保護フィルム１３３ｃは一定の耐熱性及び光透過性を有する材料であれば周知の材料にて作成することができ、例えばポリエチレン、ポリカーボネート、ポリプロピレン等の樹脂材料を用いることができる。
台座１３３ａにはＬＥＤ１３３ｂを埋設するための貫通孔１３３ａ１、及びＬＥＤ光源１３３をビス１３３ｄにより配置台１３４に固定するための貫通孔１３３ａ２がそれぞれ設けられており、台座１３３ａには貫通孔１３３ａ２からビス１３３ｄを通すための貫通孔１３４ｂが設けられている。貫通孔１３３ａ１に埋設されたＬＥＤ１３３ｂはその全てが保護フィルム１３３ｃに覆われ、台座１３３ａに貼り付けられている。なお、ＬＥＤ１３３ｂのアレイ状パターンは本発明の所定の面パターンの一例であるが、他に、放射状等、ＬＥＤ１３３ｂを面上に配置するものであれば、任意のパターンであってよい。
【００２０】
なお、上記の説明においては、実際にはＬＥＤ１３３ｂ、並びにシロッコファン１３０ａ及び１３０ｂに電力を供給するトランス等の電源装置その他の電気回路が格納容器１００内には設けられているが、これらは周知技術であり、図示及び説明を省略する。
また、ここでの配置台１３４は本発明にとって必須不可欠ではなく、発光モジュール１３０を直接ヒートシンク１４１に載置することもできる。台座１３３ａが配置台１３４の役割を果たすことが可能であり、この場合台座１３３ａは熱伝導率も考慮に入れたうえで、最適な素材を選択することとなる。
【００２１】
以上の構成において、発光モジュール１３０は本発明の発光モジュールに相当し、ＬＥＤ光源１３３は本発明のＬＥＤ光源に相当し、透過板１３１は本発明の蓋部に相当し、筐体部１３２は本発明の開口箱部に相当する。配置台１３４及び台座１３３ａは本発明の配置台に相当する。又、開口１３２ａと透過板１３１から形成される光を透過する部分は本発明の透過窓に相当する。また、パッキン１３２ｄは本発明の封止部材に相当し、ボルト１３５ａ及びナット１３５ｂは本発明の押圧部材に相当する。
【００２２】
このような構成を有する、本発明の実施の形態１のＬＥＤ照明装置１は、図６に示すように、発光モジュール１３０において、ＬＥＤ光源１３３が密閉状態にて配置されていることを特徴とする。
すなわち、図８及び図６に示すように、ボルト１３５ａ及びナット１３５ｂによる締め付けにより透過板１３１と筐体部１３２との間で圧接されたパッキン１３２ｄは変形し、透過板１３１と面接触することにより開口１３２ａの周縁を封止する。これにより、筐体部１３２の内部は密閉状態となり、当該密閉状態にある筐体部１３２内部に配置されたＬＥＤ光源１３３及び配置台１３４は、外部の水分や塵芥の流入から確実に保護される。
ここで、ＬＥＤ光源１３３のメンテナンスを行う際は、ボルト１３５ａとナット１３５ｂを外して透過板１３１と筐体１３２とを分離するが、パッキン１３２ｄをゴム、シリコン等の可撓性を有する材料としているため、図８（ｂ）に示すように一旦押し潰されたパッキン１３２ｄも、次回蓋をする際には図８（ａ）に示す元の形状に復元していることとなる。したがって、メンテナンスのために透過板１３１と筐体部１３２との着脱を繰り返しても、パッキン１３２ｄの封止効果が失われることはない。
【００２３】
ＬＥＤ光源１３３は複数のＬＥＤ１３３ｂをアレイ状に配列したことで面発光する特性を有するが、従来の照明装置は、面発光するＬＥＤ光源を、照明装置内にて如何にして保護するかに着目したものではなかった。
これに対し、本実施の形態１においては、可撓性を有するパッキン１３２ｄを間に挟み込み、ボルト１３５ａ及びナット１３５ｂ等の押圧部材によって押圧、封止する構成を実現したことで、ＬＥＤ光源１３３が配置された内部空間を密閉状態とし、外部からの水分、塵芥の進入を防ぐようにしており、屋外、屋内等で使用した際に想定される事故に前もって対処している。
このように、本発明の実施の形態１にかかるＬＥＤ照明装置１は、格納した発光モジュール１３０内部を密閉状態としたことにより、屋外等の使用環境からの影響を低減することができるという効果を有する。
【００２４】
（実施の形態２）
図９は、本発明の実施の形態２にかかるＬＥＤ照明装置の構成を示す模式図である。ただし図１〜図８と同様の構成には同一符号を付し、その詳細な説明は省略する。
図９に示すように、本実施の形態２にかかるＬＥＤ照明装置２は、発光モジュール１３０の筐体部１３２内の、ＬＥＤ光源１３３が配置される底面部分に設けた水分検知センサ２０１、水分検知センサ２０１の検知結果を受けてＬＥＤ光源１３３及び報知部２０３の動作を制御する動作制御部２０２、及び動作制御部２０２からの制御を受けて動作する報知部２０３を備えたことを特徴とする。
水分検知センサ２０１としては、離隔配置された、金メッキ、銀メッキ等が施された金属製の正負電極を有するセンサ、湿度に応じて誘電率が変化する高分子膜を用いた湿式センサ、等を用いることができる。又、動作制御部２０２としてはワンチップマイコン等を用いることができる。又、報知部２０３としては、ＬＥＤ光源、圧電ブザー、合成音声を発話するＩＣ及びスピーカ等を用いることができる。
【００２５】
以上の構成を備えた本実施の形態２にかかるＬＥＤ照明装置２の動作は以下のようなものである。
格納容器１００や、発光モジュール１３０の密閉構造の破損のため、外部から水分が流入し、筐体部１３２の底面部分に達した場合、水分検知センサ２０１が水分を検知する。水分検知センサ２０１からの検知信号が動作制御部２０２に伝達されると、動作制御部２０２は予め記述されていたプログラムに従い、各種の制御動作を実行する。一つは、発光モジュール１３０内のＬＥＤ光源１３３への通電を停止する制御を行う。これにより、ＬＥＤ光源１３３の短絡等の事故を防ぐことができる。
又、動作制御部２０２は報知部２０３に対する制御も行う。報知部２０３がＬＥＤ光源であれば常時発光又は点滅を行なわせ、圧電ブザーであれば警報音を鳴らさせ、ＩＣ及びスピーカであれば所定の合成音声を発話させる。この場合ＬＥＤ照明装置２の利用者は、報知部２０３からの各種報知を視覚又は聴覚で認識することができ、これにより、ＬＥＤ照明装置２の保護又はメンテナンスを直ちに行うことが可能となる。
【００２６】
このように、本実施の形態２のＬＥＤ照明装置２によれば、万が一、格納容器１００や、発光モジュール１３０の密閉構造が破損して、発光モジュール１３０内に水分が流入した場合であっても、動作自体の停止、又は流入があったことを外部に通知することができるため、利用者は速やかに保護、メンテナンス等を行うことが可能となり、屋外等の使用環境からの影響をさらに低減させることができる。
【００２７】
なお、上記の構成において、水分検知センサ２０１は本発明の水分検知部に相当する。又、動作制御部２０２及び報知部２０３は本発明の通知部に相当する。又、動作制御部２０２は本発明の通電制御部に相当する。すなわち、本発明は、報知部２０３を省略して動作制御部２０２がＬＥＤ光源１３３の通電動作のみ制御するものとして実施してもよい。又、動作制御部２０２はＬＥＤ光源１３３の通電動作の制御を行わず報知部２０３の動作のみを制御するものとしてもよい。双方の機能を同時に実行する構成としてもよいことは言うまでもない。更に、水分検知センサ２０１の配置箇所は、筐体部１３２の底面であるとしたが、側壁部分であってもよいし、天井部分、すなわち透過板１３１の内側に設けるようにしてもよい。要するに発光モジュール１３０の内部空間であれば、任意の箇所に設けることができる。
更に、報知部２０３は無線又は有線の通信インタフェースとして実現してもよい。この場合、携帯電話網、インターネット等のネットワークを利用して、対応する通信端末を有する遠隔した利用者に対して、ＬＥＤ照明装置２に異常があったことを通知することができる。要するに、本発明の通知部は、外部に通知することが可能であれば、その具体的な構成、方法によって限定されるものではない。
【００２８】
又、上記の各実施の形態においては、透過板１３１は筐体部１３２の上縁部に当接した構成であるとしたが、図１０（ａ）に示すように、筐体部１３２の縁部に段差を設けて、透過板１３１が筐体部１３２に嵌合する構成として実現してもよい。この場合、密閉効果をより高めることが可能となる。
【００２９】
更に、上記の各実施の形態においては、発光モジュール１３０は、主にボルト１３５ａ及びナット１３５ｂによる締め付けにより透過板１３１及び筐体部１３２の間で圧接されたパッキン１３２ｄを変形させ、開放部分の周縁を封止するものとして説明を行ったが、図１０（ｂ）に示すように、ボルト１３５ａ及びナット１３５ｂを省略し、透過板１３１の外延に爪１３１ｂを設けるとともに、筐体部１３２の側面に爪１３１ｂに対応した凹部１３２ｅを設けた構成としてもよい。この場合、凹部１３２ｅに爪１３１ｂが係合することにより透過板１３１及び筐体部１３２の間に押圧が印加され、パッキン１３２ｄが変形して、密閉状態が実現することになる。なお、爪１３１ｂは本発明の押圧部材の他の構成例に相当する。
又、押圧部材は木ねじ等によって実現してもよい。ナット１３５ｂを省略して、部品点数を削減することができる効果がある。
【００３０】
更に、パッキン１３２ｄは、可撓性を有するものであれば、前述したゴム、シリコンの他、エポキシ、ポリエチレン等、任意の天然樹脂又は合成樹脂を材料として用いることができる。
要するに、本発明の蓋部、開口箱部、封止部材、及び押圧部材は、開口箱部内を密閉状態にすることができるものであれば、その具体的な構成、形状に限定されるものではない。
又、上記の各実施の形態においては、透過板１３１は透明な平板であるとして説明を行ったが、フレネルレンズ又は平板レンズとしての屈折機能を持たせてもよい。また、透過板の表面を磨りガラス状に加工することにより射出される光を拡散するようにしてもよい。要するに、透過させるＬＥＤ光源の光に対し、透過、拡散又は屈折のいずれか少なくとも一つの光学的作用を与えるものであれば、その形状、材質等によって限定されるものではなく、任意の形状、材質を用いてもよい。これは透過板１３１及び１２２の両方に共通である。さらに、格納容器１００側の透過板１２２は設置場所如何によっては省略した構成としてもよい。製造コストを下げることができる。
【００３１】
又、上記の各実施の形態においては、図３及び図６に示すように、発光モジュール１３０内において、ＬＥＤ光源１３３は筐体部１３２の底面と平行に配置されるものとして説明を行ったが、図１１に示すように、ＬＥＤ光源１３３を、筐体部１３２内で傾斜して配置した構成としてもよい。これにより、ＬＥＤ光源１３３の主面が筐体部１３２の底面１３２ｃに対して交差することとなり、万が一透過板１３１が破損して外部から水分が進入し、ＬＥＤ光源１３３上に落滴しても、傾斜のために水滴は筐体部１３２の底面１３２ｃに速やかに流れ落ちる。したがってＬＥＤ光源１３３上への水滴の滞留を防止して、破損の虞を低減させることができる。特に、実施の形態２に適用した場合は、水分検知センサ２０１による水分検知の確度を高める効果も有する。要するに、液滴の落下方向である鉛直方向に対して交差するような配置であれば、ＬＥＤ光源１３３は任意の角度で傾斜させて配置することができる。
【００３２】
更に、図１２に示すように、ＬＥＤ光源１３３の傾斜角度が調整可能な構成であるとしてもよい。図１２に示す構成例は、一対の配置台１３４どうしを蝶番１３７にて接続する構成としたことにより、配置台１３４の開き角φを可変自在としている。このような構成とすることにより、配置台１３４の、筐体部１３２の底面１３２ｃに対する傾斜角θを所望の値に調整することができる。すなわち、ＬＥＤ照明装置の個別の利用場所に応じて照明の範囲を調節しつつ、水滴の落下方向を考慮してＬＥＤ光源１３３の傾斜を最適化することができ、ＬＥＤ光源１３３の主面上に滞留する水滴を速やかに除去することが可能となる。
なお、配置台１３４の傾斜角を変更するための機構は、蝶番１３７の他に、ラック等の周知の機構を用いてもよい。又、傾斜角θの範囲は、ＬＥＤ照明装置の配置場所にもよるが、３０°〜６０°の範囲、より好ましくは４０°〜５０°の範囲とすることにより、ＬＥＤ光源１３３からの光出射効率を確保しつつ、効率的に水滴を除去することができる。この角度条件は、図１１に示すような固定式で傾斜角を構成した場合にも当てはまる。
【００３３】
又、図１１に示す構成例は、発光モジュール１３０が直方体上の外形を有し、ネジ１３６を貫通孔１３７ａ及びネジ止め穴１３７ｂにてネジ止めすることで平面矩形形状のＬＥＤ光源１３３と筐体部１３２とを圧接、固定するものとして示したが、本発明の外部及び開口箱部は、その外形形状、及び開口箱部の内部形状によって限定されるものではない。又、図１１に示す構成例は、それぞれ筐体部１３２の底面１３２ｃに対して傾斜したＬＥＤ光源１３３を一対備えたものであるが、本発明は、開口箱部内に配置されるＬＥＤ光源１３３の個数によって限定されるものでもない。
【００３４】
さらに、上記の各実施の形態においては、格納容器１００は一つの開口１１０のみを有する構成として説明を行ったが、格納容器１００の他の面にも開口を設けて、対応した発光モジュール１３０を更に設けた構成としてもよい。又、格納容器１００は円柱形状又は直方体形状を有するものとして説明を行ったが、四面体、角柱等、任意の形状であるとしてもよい。
又、シロッコファン１３０ａ及び１３０ｂは省略した構成としてもよい。ヒートシンク１４１に換えてペルチェ素子等を設けて、発光モジュール１３０を冷却する構成としてもよい。
又、上記の各実施の形態においては、ＬＥＤ光源１３３は、アレイ状パターンを形成するように配列された複数のＬＥＤ１３３ｂから構成されるものとしたが、これは本発明のＬＥＤの所定の面パターンの一例である。ただし本発明の面パターン構成はこれに限定されるものではなく、複数のＬＥＤを放射状に配列した構成としてもよいし、単一のＬＥＤを平面形状とすることによって実現してもよい。
要するに、本発明は、その要旨を逸脱しない範囲内であれば、上記実施の形態に種々の変更を加えてもよい。
【００３５】
以上説明したように、本発明の各実施の形態のＬＥＤ照明装置は、外部環境からの影響を考慮して、それを低減させることを実現している。
このようなＬＥＤ照明装置は、一般家庭向けの照明の他に、広告、作業用の屋外照明に好適である。特に作業用照明として用いた場合、従来の外部発電機等を用いるハロゲン燈等と比較して、完全防水を確保しつつ蓄電池又は充電池によるバッテリー駆動が可能となり、好適である。
【産業上の利用可能性】
【００３６】
以上のような本発明によれば、面発光するＬＥＤ照明装置において、屋外等の使用環境からの影響を低減することができる顕著な効果を有し、一例としては、屋外の作業用、広告用照明に好適である。
【符号の説明】
【００３７】
１、２                          ＬＥＤ照明装置
１００                          格納容器
１１０                          （格納容器１００の）開口
１２２                          透過板
１３０                          発光モジュール
１３０ａ・１３０ｂ              シロッコファン
１３１                          透過板
１３２                          筐体部
１３２ａ                      （筐体部１３２の）開口
１３２ｃ                        底面
１３２ｄ                        パッキン
１３３                          ＬＥＤ光源
１３３ａ                        台座
１３４                          配置台
１３５ａ                        ボルト
１３５ｂ                        ナット
２０１                          水分検知センサ
２０２                          動作制御部
２０３                          報知部
１３７                          蝶番
【図１】
2011090854.tif 000003
【図２】
2011090854.tif 000004
【図３】
2011090854.tif 000005
【図４】
2011090854.tif 000006
【図５】
2011090854.tif 000007
【図６】
2011090854.tif 000008
【図７】
2011090854.tif 000009
【図８】
2011090854.tif 000010
【図９】
2011090854.tif 000011
【図１０】
2011090854.tif 000012
【図１１】
2011090854.tif 000013
【図１２】
2011090854.tif 000014